(57)【特許請求の範囲】
【請求項１】
口腔内に挿入され、口角を押し広げる一対の口角鉤と、
これら一対の口角鉤にそれぞれ外方に向かって突出形成され、前記口腔内の奥部側を押し広げる翼部と、
前記一対の口角鉤を連結する略Ｕ字状のバネアーム部と、
を具備し、
前記一対の口角鉤は前記口腔内に挿入される際、前記バネアームのバネ力に抗して互いに接近する方向に押圧されることにより互いの端部を当接させ、この当接部を回転支点として前記翼部を互いに接近するように内側に向かって回転させる構造を有し、かつ、前記当接される端部間の滑りを規制する端部に形成される規制部を有することを特徴とする口腔開拡装置。
【請求項２】
前記規制部は、前記一対の口角鉤の一方の端部に形成される凹部と、他方の端部に形成される突起部とからなり、前記凹部と突起部とを係合させることにより前記回転支点を構成することを特徴とする請求項１記載の口腔開拡装置。
【請求項３】
前記規制部は、前記一対の口角鉤の少なくとも一方の端部に形成される粗面部で、この粗面部を他方の端部に当接させることにより前記回転支点を構成することを特徴とする請求項１記載の口腔開拡装置。
【請求項４】
前記規制部は、前記一対の口角鉤の両端部に形成される溝部で、これら溝部をかみ合せることにより前記回転支点を構成することを特徴とする請求項１記載の口腔開拡装置。
【請求項５】
前記規制部は、前記一対の口角鉤の少なくとも一方の端部に形成される高摩擦抵抗の材質部からなり、この高摩擦抵抗の材質部を他方の端部に当接させることより前記回転支点を構成することを特徴とする請求項１記載の口腔開拡装置。
【発明の詳細な説明】
【０００１】
【発明の属する技術分野】
本発明は、例えば、口腔内や咽頭部の診査、診療、撮影時、或いは気管内への挿管や胃カメラの挿入時等において使用される口腔開拡装置に関する。
【０００２】
【従来の技術】
この種の口腔開拡装置としては、例えば、実公昭５６−３３５２４号公報に開示されるものが知られている。
【０００３】
この実公昭５６−３３５２４号公報に開示されるものは、左右一対の口角鉤を有し、この一対の口角鉤を略Ｕ字状のバネアームを介して連結するものである。
【０００４】
この口角開拡装置を使用する場合には、左右の口角鉤を手に持ち、この左右の口角鉤をバネアームのバネ力に抗して内側に向かって押し込むことにより、左右の口角鉤間の幅寸法を縮小させてから、患者の口腔内に挿入させて口角の両側部に引っ掛ける。しかるのち、左右の口角鉤から手を離すと、バネアームの復帰力により左右の口角鉤が開く方向に移動して口角が左右に押し広げられ、口腔内の診査、診療、撮影等を可能ならしめる。
【０００５】
ところで、上記した口角鉤は、前歯部の診査、診療、写真撮影等を行う場合には好都合であるが、口角鉤だけでは口腔内の奥部側までは押し広げることができず、臼歯部の診査、診療、写真撮影等を行う場合には問題があった。
【０００６】
そこで、近時においては、左右の口角鉤の外側部に外方に向かって突出する翼部をそれぞれ形成し、これら翼部により口腔内の奥部側を押し広げて臼歯部までの視野を広げることができるようにしたものが開発されている。
【０００７】
【発明が解決しようとする課題】
しかしながら、口角鉤に翼部を外方に向かって突出形成した場合には、臼歯部まで視野を広げることができる利点はあるが、翼部間の幅寸法が大きくなるため、口腔内への挿入時には翼部が邪魔になり非常に挿入しずらくなる。このため、患者に苦痛を与えるとともに、使用者にとっても使用性が悪いものとなっていた。
【０００８】
本発明は上記事情に着目してなされたもので、口角鉤に外方に向かって突出する翼部を形成しても口腔内に容易に挿入できるようにした口腔開拡装置を提供することを目的とする。
【０００９】
【課題を解決するための手段】
上記課題を解決するため、請求項１記載の発明は、口腔内に挿入され、口角を押し広げる一対の口角鉤と、これら一対の口角鉤にそれぞれ外方に向かって突出形成され、前記口腔内の奥部側を押し広げる翼部と、前記一対の口角鉤を連結する略Ｕ字状のバネアーム部とを具備し、前記一対の口角鉤は前記口腔内に挿入される際、前記バネアームのバネ力に抗して互いに接近する方向に押圧されることにより互いの端部を当接させ、この当接部を回転支点として前記翼部を互いに接近するように内側に向かって回転させる構造を有し、かつ、前記当接される端部間の滑りを規制する端部に形成される規制部を有することを特徴とする。
【００１０】
前記の構成により口腔内への挿入に際し、一対の口角鉤の翼部の位置関係が安定して平行状態を維持し、これにより、翼部間の幅寸法を縮小化して口腔内への挿入を容易に行うことができるようにする。
【００１１】
また、回転支点の構造を小とし、口腔内への装着時においては回転支点が邪魔になることがないようにする。
【００１２】
【発明の実施の形態】
以下、本発明を図面に示す実施の形態を参照して詳細に説明する。
【００１３】
図１は本発明の第１の実施の形態である口腔開拡装置１を示す正面図で、図２はその上面図である。
【００１４】
口腔開拡装置１は正面から見て円弧状をなす左右一対の口角鉤２，３と、これら一対の口角鉤２，３の下部側を連結する略Ｕ字状のバネアーム部４とから構成されている。
【００１５】
左右一対の口角鉤２，３は所定間隔を存して離間対向して設けられ、その外周側部には凹溝２ａ，３ａがそれぞれ形成されている。また、左右一対の口角鉤２，３の背面側には外方に向かって水平に延びる翼部５，６が一体に形成されている。
【００１６】
左右一対の口角鉤２，３の凹溝２ａ，３ａは口角の両側部を嵌め込ませるもので、翼部５，６は口腔の奥部側を押し広げるためのものである。
【００１７】
左右一対の口角鉤２，３及び略Ｕ字状のバネアーム部４は弾力性に富むプラスチック、ポリカーボネート、ポリエチレン、ポリプロピレン等の合成樹脂材により一体に成形されている。
【００１８】
ところで、左側の口角鉤２の上部側の端部には図３にも示すように凹部７が形成され、右側の口角鉤３の上部側の端部には図４にも示すように突起部８が一体に突出成形されている。
【００１９】
左右の口角鉤２，３が後述するように内側に向かって押し込まれて互いに接近する方向に移動したとき、左側の口角鉤２の凹部７内に右側の口角鉤３の突起部８が係合されるようになっている。
【００２０】
次に、口腔開拡装置１の使用方法について図５乃至図８を参照して説明する。
【００２１】
まず、図５に示すように、左右の口角鉤２，３の外周部を手の指９で挟持し、左右の口角鉤２，３をバネアーム部４のバネ力に抗して内側に押し込む。これにより、左右の口角鉤２，３が所定量押し込まれると、図６に示すように左側の口角鉤２の凹部７内に右側の口角鉤３の突起部８が挿入されて係合される。
【００２２】
この状態からさらに、左右の口角鉤２，３を内側に向かって押し込むと、左右の口角鉤２，３は凹部７と突起部８との係合部を回転支点Ｋとして図７に示すように内側に向かって回転する。これにより、左右の口角鉤２，３の翼部５，６が互いに接近するように内側に向かって回転して略平行な状態となり、翼部５，６間の幅寸法Ｓが縮小化される。
【００２３】
このように、翼部５，６の幅寸法Ｓを縮小化したのち、翼部５，６を患者の口角１０から口腔１１内に挿入させ、左右の口角鉤２，３の外周部の凹溝２ａ，３ａ内に口角１０の両側部を嵌め込ませる。しかるのち、左右の口角鉤２，３の外側から指９を離す。これにより、図８に示すように、バネアーム部４が広がる方向に復帰し、左右の口角鉤２，３が互いに離間する方向に移動する。この移動により、患者の口角１０が左右に押し広げられるとともに、翼部５，６により口腔１１内の奥部側も同時に押し広げられる。
【００２４】
このように口角１０及び口腔１１の奥部側を押し広げたのち、口腔１１内の前歯部及び臼歯部の診査、診療、写真撮影等を行う。
【００２５】
上記したように、左右の口角鉤２，３に凹部７及び突起部８を形成し、左右の口角鉤２，３を内側に押し込んでその凹部７と突起部８を係合させたのち、この係合部を回転支点Ｋとして安定して左右の口角鉤２，３の翼部５，６を互いに近接するように内側に向かって回転させるため、翼部５，６の位置関係を安定して水平状態を維持でき、翼部５，６間の幅寸法Ｓを大幅に縮小できる。
【００２６】
従って、左右の口角鉤の翼部５，６を容易に患者の口腔１１内に挿入することができ、患者に与える苦痛を大幅に軽減できるとともに、使用性も向上できるという利点がある。
【００２７】
また、回転支点Ｋの構造が小さいため、口腔１１内への装着時において回転支点Ｋが邪魔になることもない。
【００２８】
図９は本発明の第２の実施の形態である口腔開拡装置２１を示す正面図で、図１０はその上面図である。
【００２９】
なお、上記第１の実施の形態で示した部分と同一部分については、同一番号を付してその説明を省略する。
【００３０】
この第２の実施の形態では、左右の口角鉤２，３の端部にそれぞれ突起部２２，２３を突出成形し、これら突起部２２，２３の表面にざらざらした粗面部２２ａ，２３ａをそれぞれ形成している。
【００３１】
左右の口角鉤２，３を口腔１１内に挿入する際には、図１１に示すように、左右の口角鉤２，３の外周部を手の指９で挟持し、左右の口角鉤２，３をバネアーム部４のバネ力に抗して内側に押し込む。これにより、左右の口角鉤２，３が所定量押し込まれると、左右の口角鉤２、３の端部の突起部２２，２３がその粗面部２２ａ，２３ａを互いに当接させる。この状態からさらに、左右の口角鉤２，３を内側に向かって押し込むと、左右の口角鉤２，３は互いに当接する突起部２２，２３を回転支点Ｋとして図１２に示すように内側に向かって回転する。これにより、左右の口角鉤２，３の翼部５，６が互いに接近するように内側に向かって回転して略平行な状態となり、翼部５，６間の幅寸法Ｓが縮小化される。
【００３２】
この第２の実施の形態においても、上記した第１実施の形態と同様に、左右の口角鉤２，３の翼部５，６を患者の口腔１１内に容易に挿入することができ、患者に与える苦痛を大幅に軽減できるとともに、使用性も向上できるという利点がある。
【００３３】
この第２の実施の形態においては、左右の口角鉤２、３の端部の突起部２２，２３にそれぞれ粗面部２２ａ，２３ａを形成したが、これに限られることなく、左右の口角鉤２、３の何れか一方の端部のみに粗面部を形成するようにしても良い。
【００３４】
図１３及び図１４は本発明の第３の実施の形態を示すものである。
【００３５】
この第３の実施の形態では、左右の口角鉤２，３の端部に歯車状に連続する溝部２５，２６を形成し、これら溝部２５，２６を当接させてかみ合せ、このかみ合せ部を左右の口角鉤２，３の翼部５，６の回転時における回転支点Ｋとしている。
【００３６】
なお、左右の口角鉤２，３の端部に形成される溝部は歯車状に連続することなく、一個のみであっても良く、また、その形状も直線状、或いは、くの字状、又は、ジグザグ状であっても良い。
【００３７】
また、本発明は、上記した第１乃至第３の実施の形態に限られることなく、左右の口角鉤２，３の端部を摩擦抵抗の大きな材質、例えば、天然ゴム、合成ゴム、エチレンビニルアセテート等の粘着性の高い材質で形成し、これら端部を当接させてこの当接部を左右の口角鉤２，３の翼部５，６の回転時における回転支点Ｋとするようにしても良い。
【００３８】
なお、左右の口角鉤２，３の端部をそれぞれ摩擦抵抗の大きな材質で形成することなく、何れか一方の端部のみを摩擦抵抗の大きな材質で形成するようにしても良い。
【００３９】
さらに、本発明はその主旨の範囲内であれば、上記した実施の形態に限られることなく、種々変形実施可能なことは勿論のことである。
【００４０】
【発明の効果】
本発明は以上説明したように、一対の口角鉤を口腔内に挿入する際には、一対の口角鉤をバネアーム部のバネ力に抗して互いに接近する方向に押圧することにより互いの端部を当接させ、この当接部を回転支点として安定して翼部を互いに接近するように内側に向かって回転させる構造とするから、一対の口角鉤の翼部の位置関係を安定して平行状態を維持でき、翼部間の幅寸法を大幅に縮小化できる。
【００４１】
従って、患者の口腔内への挿入が容易になり、患者に苦痛を与えることがないとともに、使用性も向上できるという効果を奏する。
【００４２】
また、回転支点の構造が小さいため、口腔内への装着時において回転支点が邪魔になることもない。
【図面の簡単な説明】
【図１】本発明の第１の実施の形態である口腔開拡装置を示す正面図。
【図２】口腔開拡装置を示す上面図。
【図３】左側の口角鉤の端部に形成された凹部を示す斜視図。
【図４】右側の口角鉤の端部に突出形成された突起部を示す斜視図。
【図５】口腔内への挿入に際し、左右の口角鉤を指で挟持した状態を示す図。
【図６】左右の口角鉤を内側に向かって押し込んでその凹部と突起部を係合させた状態を示す図。
【図７】凹部と突起部の係合部を回転支点として左右の口角鉤の翼部を互いに近接するように内側に向かって回転させた状態を示す図。
【図８】口腔内に挿入された左右の口角鉤により口腔内が押し広げられた状態を示す図。
【図９】本発明の第２の実施の形態である口腔開拡装置を示す正面図。
【図１０】口腔開拡装置を示す上面図。
【図１１】口腔内への挿入に際し、左右の口角鉤を内側に向かって押し込んでその端部を互いに当接させた状態を示す図。
【図１２】左右の口角鉤の互いに当接された端部を回転支点として左右の口角鉤の翼部を互いに近接するように内側に向かって回転させた状態を示す図。
【図１３】本発明の第３の実施の形態である左側の口角鉤の端部に形成される歯車状の溝部を示す斜視図。
【図１４】右側の口角鉤の端部に形成された歯車状の溝部を示す斜視図。
【符号の説明】
１…口腔開拡装置
２，３…口角鉤
２ａ，３ａ…口角を支える凹溝
４…バネアーム部
５，６…翼部
７…凹部
８…突起部
９…指
１０…口角
１１…口腔内
２１…口腔開拡装置
２２…突起部
２２ａ…粗面部
２３…突起部
２３ａ…粗面部
２５…溝部
２６…溝部
Ｓ…翼部間の幅寸法
Ｋ…回転支点
【図１】
0004486227.tif 000002
【図２】
0004486227.tif 000003
【図３】
0004486227.tif 000004
【図４】
0004486227.tif 000005
【図５】
0004486227.tif 000006
【図６】
0004486227.tif 000007
【図７】
0004486227.tif 000008
【図８】
0004486227.tif 000009
【図９】
0004486227.tif 000010
【図１０】
0004486227.tif 000011
【図１１】
0004486227.tif 000012
【図１２】
0004486227.tif 000013
【図１３】
0004486227.tif 000014
【図１４】
0004486227.tif 000015